(57)【要約】【課題】  ロック部材に対する当たりが確実で、当該ロック部材をアンロック位置に確実に戻すことができる地震時ロック装置等を提供する。【解決手段】  本発明の地震時ロック装置１は、ボックス本体２内に取り付けられるロック装置本体３と、地震時に突出するようにロック装置本体３に設けられたロック部材８と、突出したロック部材８によってロックされるべくボックス本体２の前面開口部に枢着されたウィング４の内面に取り付けられるブラケット５とを備えている。このブラケット５には、ウィング４の閉鎖方向への移動に伴ってロック部材８のロックを解除する解除部材１９が設けられている。この解除部材１９は、突出したロック部材８に係合して当該ロック部材８をアンロック位置に押し戻すように、ブラケット５に対して上下揺動自在に枢着されたリセットアーム２０よりなる。【選択図】図１
2009046955.tif 000002
【特許請求の範囲】
【請求項１】
ボックス本体内に取り付けられるロック装置本体と、地震時に突出するように前記ロック装置本体に設けられたロック部材と、突出した前記ロック部材によってロックされるべく前記ボックス本体の前面開口部に枢着されたウィングの内面に取り付けられるブラケットと、を備えた地震時ロック装置において、
前記ウィングの閉鎖方向への移動に伴って前記ロック部材のロックを解除する解除部材が前記ブラケットに設けられ、
前記解除部材は、突出した前記ロック部材に係合して当該ロック部材をアンロック位置に押し戻すように、前記ブラケットに対して上下揺動自在に枢着されたリセットアームよりなることを特徴とする地震時ロック装置。
【請求項２】
ボックス本体と、この本体の前面開口部に枢着されたウィングと、前記ボックス本体内に取り付けられたロック装置本体と、地震時に突出するように前記ロック装置本体に設けられたロック部材と、突出した前記ロック部材でロックされるべく前記ウィングの内面に取り付けられたブラケットと、を備えたウィング付き収納ボックスにおいて、
前記ウィングの閉鎖方向への移動に伴って前記ロック部材のロックを解除する解除部材が前記ブラケットに設けられ、
前記解除部材は、突出した前記ロック部材に係合して当該ロック部材をアンロック位置に押し戻すように、前記ブラケットに対して上下揺動自在に枢着されたリセットアームよりなることを特徴とするウィング付き収納ボックス。
【請求項３】
ボックス本体の前面開口部に枢着されたウィングの内面に対して同本体側に突出するように取り付けられる、ウィング付き収納ボックスに使用するブラケットにおいて、
地震の揺れで突出するロック装置本体のロック部材によるロックを前記ウィングの閉鎖方向への移動に伴って解除する解除部材を備えており、
前記解除部材は、突出した前記ロック部材に係合して当該ロック部材をアンロック位置に押し戻すように、前記ブラケットに対して上下揺動自在に枢着されたリセットアームよりなることを特徴とするブラケット。
【発明の詳細な説明】
【技術分野】
【０００１】  本発明は、ウィング付き収納ボックスとこれに用いる地震時ロック装置及びブラケットに関する。
【背景技術】
【０００２】  例えば、食器棚、本棚、タンス、化粧ケース等の家具に代表されるウィング付きの収納ボックスでは、前面が開放されたボックス本体の開口部に扉（ウィング）が観音開き状に枢着されている。
上記家具に代表されるウィング付きの収納ボックスでは、収納物品の出し入れを頻繁に行うため、一般に施錠装置を設ける場合が少なく、また、施錠装置を設けたとしてもユーザーがこれを余り利用しないことが多い。【０００３】  このため、大震度の地震等のため収納ボックスが大きく揺らされると、その揺れによって閉鎖されている扉が開いて食器等の収納物品が外に飛び出し、これによって収納物品が破損したり居住者に当たって負傷することがある。
そこで、ボックス本体に生じた大きな揺れを検知してウィングを自動的にロックすることにより、収納物品が外へ飛び出すのを防止できる地震時ロック装置が既に提案されている。【０００４】  かかる地震時ロック装置は、ボックス本体内に取り付けられるロック装置本体と、地震時に突出するようにロック装置本体に設けられたロック部材と、突出したロック部材によってロックされるべくボックス本体の前面開口部に枢着されたウィングの内面に取り付けられるブラケットとを備えているが、いったんロック状態になった上記ロック部材を収納ボックスの外側からどのように解除するのかが問題となる。【０００５】  そこで、地震等の揺れを検知してウィングを自動的にロックするこの種の地震時ロック装置において、ウィングの閉鎖方向への移動に伴ってロック部材のロックを解除するカム機能を有する上下方向に弾性変形自在なバネ部材をブラケットに設けることにより、ロック状態になったロック部材のロック解除を簡単に行えるようにしたものがある。
【特許文献１】  特許第２８９８９７１号公報
【発明の開示】
【発明が解決しようとする課題】
【０００６】  特許文献１に記載の従来の地震時ロック装置では、ロック部材のロックを解除する解除部材が上下方向に弾性変形自在なバネ部材で構成されているので、次のような不都合が生じることがあった。
すなわち、上記バネ部材はバネ鋼材よりなる板バネが使用されているが、この板バネを精密に屈曲成形するのが困難であるため、板バネの屈曲度合は製品毎にある程度の誤差が生じている。【０００７】  このため、上記バネ部材の製作誤差により、バネ部材がロック装置本体のケーシングにも当たってしまって、扉を開け閉めする度に異音が発生したり、逆に、ロック部材に対する当たりが弱すぎてロック解除が上手く行かなかったりする場合がある。
そこで、本発明の課題は、ロック部材に対する当たりが確実で当該ロック部材をアンロック位置に確実に戻すことができる地震時ロック装置等を提供する点にある。
【課題を解決するための手段】
【０００８】  本発明は、前記地震時ロック装置、この装置を有する収納ボックス及びこの装置に使用するブラケットにおいて、ウィングの閉鎖方向への移動に伴ってロック部材のロックを解除する解除部材が前記ブラケットに設けられ、前記解除部材は、突出した前記ロック部材に係合して当該ロック部材をアンロック位置に押し戻すように、前記ブラケットに対して上下揺動自在に枢着されたリセットアームよりなることを特徴とする。【０００９】  本発明によれば、ウィングの閉鎖方向への移動に伴ってロック部材のロックを解除する解除部材がブラケットに対して上下揺動自在に枢着されたリセットアームよりなり、このリセットアームが突出したロック部材に係合して当該ロック部材をアンロック位置に押し戻すので、従来の板バネよりなるバネ部材に比べて、ロック部材に対する当たりが確実であり、当該ロック部材をアンロック位置に確実に戻すことができる。
【発明の効果】
【００１０】  本発明によれば、ロック部材に対する当たりが確実なリセットアームによって当該ロック部材をアンロック位置に確実に戻すことができるので、地震時ロック装置のロック解除をより確実に行うことができる。
【発明を実施するための最良の形態】
【００１１】  以下、図面を参照しつつ、本発明の実施形態を説明する。
図１及び図２に示すように、本実施形態の地震時ロック装置１は、タンス、食器ケース、化粧ケース、キッチンの天袋その他の回動式の扉を有する家具に使用されるものであり、その家具を構成するボックス本体（フレーム）２の開口部の天板内面に取り付けられるロック装置本体３と、そのボックス本体２の開口部に開閉自在に枢着された開閉扉（ウィング）４の内面に取り付けられる被掛止部材であるブラケット５と、を備えている。【００１２】  このうち、ロック装置本体３は、本出願人が既に特許を取得している前記特許２８９８９７１号公報に記載のものと基本的原理が同じものである。
すなわち、このロック装置本体３は、ボックス本体２の天板６の下面に固定される合成樹脂製のケーシング７と、このケーシング７内に出退自在に挿通された合成樹脂製のラッチボルトよりなるロック部材８と、このロック部材８を常時下方へ付勢する第一コイルバネ９と、を備えている。【００１３】  また、このロック装置本体３は、ロック部材８を予めケーシング７内に保持しておく金属板製の保持部材１０と、この保持部材１０を常時ロック部材８側へ付勢する第二コイルバネ１１と、地震によるボックス本体２の揺れに伴って移動して保持部材１０をロック部材８から解除する金属製のボールよりなる慣性部材１２と、を備えている。
上記ロック装置本体３の構成部材のうち、ロック部材８は、その上端部だけがケーシング７の上面から突出するよう同ケーシング７の前端部（図１の右端部）に上下方向に出退自在に挿通されている。【００１４】  第一コイルバネ９は、ロック部材８に上方から当接するようケーシング７内に収納されており、同ロック部材８を常時下方へ付勢している。なお、ロック部材８は下方突出したときのケーシング７に対する抜け止め部材（図示せず）を一体に備えている。
保持部材１０は、側面視コ字枠状に形成された金属板材よりなり、ケーシング７内に前後方向（図１の左右方向）移動自在に収納されている。保持部材１０は、その後方側に配置された第二コイルバネ１１によってロック部材８側に付勢されており、その前端に形成された掛止爪によって同ロック部材８の側面を掛止する。【００１５】  また、慣性部材１２は、ケーシング７内における保持部材１０の枠内に位置するように配置されている。
従って、地震その他の振動によりボックス本体２が揺れると、慣性部材１２が前後に転がって保持部材１０に衝突し、この衝突で保持部材１０のロック部材８に対する掛止状態が解除され、ロック部材８が第一コイルバネ９により下方のロック位置に突出するようになっている。【００１６】  一方、ブラケット５は、取付板部１６と突出板部１７とから側面視ほぼＬ字状に屈曲形成され、突出板部１７は、その後端を上方に屈曲してなる爪部１８を備えている。このブラケット５は、その取付板部１６を開閉扉４の内面に取付ねじ（図示せず）でねじ止めすることにより、突出板部１７が開閉扉４の内面からケーシング７の直下に向かって後方へ突出するように位置決めして取り付けられる。
すなわち、ブラケット５の取付位置は、開閉扉５の閉鎖状態において突出板部１７がロック部材８の上下出退位置と重なる平面位置となり、かつ、爪部１８がロック部材８の突出端部に掛止され得る高さ位置とされている。【００１７】  かかる地震時ロック装置１によれば、地震等のない通常時はロック部材８はケーシング７内に没入していてアンロック位置に保持されているので、ブラケット５はケーシング７の下方空間を自由に行き来でき、このため開閉扉４を自由に開閉できる。
他方、地震の発生によりロック部材８が下方へ突出してロック位置になると、同ロック部材８の突出端部がブラケット５の爪部１８を掛止して開閉扉４の開放が阻止され、これによってボックス本体２内の物品が外に飛び出るのが未然に防止される。【００１８】  次に、上記地震時ロック装置１を構成するブラケット５の詳細について、説明を敷衍する。
図１〜図３に示すように、本実施形態のブラケット５は、扉４の閉鎖方向への移動に伴ってロック部材８のロックを解除する解除部材１９を備えている。そして、本実施形態では、この解除部材１９が、突出したロック部材８に係合して当該ロック部材８をアンロック位置に押し戻すように、ブラケット５に対して上下揺動自在に枢着されたリセットアーム２０よりなる。【００１９】  上記リセットアーム２０は、ブラケット５の突出板部１７の基端部に形成された切欠凹部２１に収納されている。この切欠凹部２１の幅方向両側には左右一対の支持片２２が一体に突設され、この支持片２１に金属製の枢着ピン２３が水平方向に架設されている。
また、リセットアーム２０は、側面視への字状を呈する合成樹脂製の板材よりなり、上記枢着ピン２３に貫通された基端部分２４と、この基端部分２４から斜め上方に延設されたアーム本体２５とを一体に備えている。【００２０】  アーム本体２５は、その先端が後方側（ボックス本体２の内部側）に向けられており、ロック部材８に係合しない通常状態において、先端が後方かつ上方に向くように傾斜している。
また、ロック部材８の突出端部の下面には、上記アーム本体２５の先端部が嵌り込む係合凹部２６が形成されている。【００２１】  以上の構成を有する地震時ロック装置１において、ロック部材８がロック状態になっている場合に扉４を閉鎖方向（図１の右側）に移動させると、図１に示すように、リセットアーム２０の先端がロック部材８の係合凹部２６に嵌り込む。
その後、更に扉４を閉鎖方向に移動させると、図２に示すように、リセットアーム２０が枢着ピン２３を支点として上方に揺動し、これにより、ロック部材８がリセットアーム２０によって上方に押し戻され、ケーシング７内のアンロック位置に復帰する。【００２２】  このように、本実施形態の地震時ロック装置１によれば、扉４の閉鎖方向への移動に伴ってロック部材８のロックを解除する解除部材１９がブラケット５に対して上下揺動自在に枢着されたリセットアーム２０よりなり、このリセットアーム２０が、ロック位置に突出したロック部材８に係合して当該ロック部材８をアンロック位置に押し戻すので、従来の板バネよりなるバネ部材に比べて、ロック部材８に対する当たりが確実であり、当該ロック部材８をアンロック位置に確実に戻すことができる。【００２３】  なお、上記実施形態は例示的なものであって限定的なものではない。すなわち、本発明の範囲は前記した特許請求の範囲によって示され、その請求項の意味に入るすべての変形例は本発明に含まれるものである。
【図面の簡単な説明】
【００２４】
【図１】  本発明の実施形態に係る地震時ロック装置の側面図であり、リセットアームがロック状態のロック部材に当接した状態を示す。
【図２】  上記地震時ロック装置の側面図であり、リセットアームがロック部材を押し戻した状態を示す
【図３】  （Ａ）はブラケットの平面図、（Ｂ）はブラケットの側面図、（Ｃ）はブラケットの背面図である。
【符号の説明】
【００２５】  １      地震時ロック装置
２      ボックス本体
３      ロック装置本体
４      開閉扉（ウィング）
５      ブラケット
７      ケーシング
８      ロック部材
１９      解除部材
２０      リセットアーム
【図１】
2009046955.tif 000003
【図２】
2009046955.tif 000004
【図３】
2009046955.tif 000005